(57)【特許請求の範囲】
【請求項１】
遊技媒体が流下可能な遊技領域が前面に形成された遊技盤と、
該遊技盤の前面に取り付けられる役物部材と、
前記遊技盤の後方に直接的又は間接的に取り付けられ、遊技者に対して動作演出及び／又は光演出を提供すると共に、前記役物部材の一部を嵌合する役物部材取付開口が形成された後方ユニットと、を有する遊技機であって、
前記役物部材は、導電性を有して後方に向けて突出する複数の導電突部を有し、
前記後方ユニットは、
導電性を有して前方に向けて付勢力を発揮すると共に接地電位とされた複数の導電付勢部と、
前記導電付勢部の近傍位置に配置された複数の位置規制部と、を有し、
前記遊技盤に対して前記役物部材及び前記後方ユニットを取り付けた状態において、前記役物部材の導電突部が前記位置規制部によって位置規制されて前記導電付勢部を付勢すると共に、
前記複数の位置規制部が前記役物部材の位置決め機能を発揮することに基づき、前記後方ユニットの前記遊技盤への取付けに際して前記役物部材が前記役物部材取付開口に嵌合される、遊技機。
【請求項２】
前記導電突部及び前記導電付勢部が、前記遊技盤を正面視したときに不可視とされている、請求項１に記載の遊技機。
【請求項３】
前記遊技盤には、前記導電突部が貫通可能な貫通孔が形成され、
前記導電突部は、前記遊技盤を前方から後方へ貫通して前記導電付勢部を付勢する、請求項１又は請求項２に記載の遊技機。
【請求項４】
前記導電突部が、その根元部分に該導電突部を補強する補強部を有する、請求項１から請求項３のうちいずれか１項に記載の遊技機。
【発明の詳細な説明】
【技術分野】
【０００１】
遊技機に関する。
【背景技術】
【０００２】
パチンコ機等の遊技機においては、弾球された遊技球が遊技領域（遊技盤の表面に形成されて遊技球が流下可能な領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機において、遊技盤を透明に形成する構成が提案されている（例えば、特許文献１，２を参照。）。これら特許文献１，２には、透明な遊技盤における静電気の問題を解決すべくアース部材を利用した接地の方策も開示されている。
【先行技術文献】
【特許文献】
【０００４】
【特許文献１】特開２００９−２６８５５２号公報
【特許文献２】特開２００９−９５３８５号公報
【発明の概要】
【発明が解決しようとする課題】
【０００５】
しかしながら、これら特許文献１，２には、アース部材を利用した接地についての開示はあるが、これらを更に遊技盤への取付部品の位置決めにも利用する旨の思想が開示されていない。遊技盤への取付部品の取り付けの際に、位置決めさえ行えば意識せずとも接地が完了するようになっていれば、遊技盤周囲の組立効率が向上し、ひいては遊技機全体の製造効率が向上する。
【０００６】
本願発明は、上記の事情に鑑みて為されたもので、遊技盤周囲における部品の位置決めと接地とを同時的に両立させることにより、遊技盤周囲の組立効率を向上させ、ひいては遊技機全体の製造効率を向上させることを例示的課題とする。
【課題を解決するための手段】
【０００７】
上記の課題を解決するために、本願発明の例示的側面としての遊技機は、遊技媒体が流下可能な遊技領域が前面に形成された遊技盤と、遊技盤の前面に取り付けられる役物部材と、遊技盤の後方に直接的又は間接的に取り付けられ、遊技者に対して動作演出及び／又は光演出を提供する後方ユニットと、を有する。役物部材は、導電性を有して後方に向けて突出する導電突部を有している。後方ユニットは、導電性を有して前方に向けて付勢力を発揮すると共に接地電位とされた導電付勢部と、導電付勢部の近傍位置に配置された位置規制部と、を有している。遊技盤に対して役物部材及び後方ユニットを取り付けた状態において、役物部材の導電突部が位置規制部によって位置規制されて導電付勢部を付勢する。
【０００８】
本発明の更なる目的又はその他の特徴は、以下添付図面を参照して説明される好ましい実施の形態によって明らかにされるであろう。
【発明の効果】
【０００９】
遊技盤周囲における部品の位置決めと接地とを同時的に両立させることにより、遊技盤周囲の組立効率を向上させ、ひいては遊技機全体の製造効率を向上させることができる。
【図面の簡単な説明】
【００１０】
【図１】実施形態に係るパチンコ機の正面図である。
【図２】図１に示すパチンコ機の外観斜視図である。
【図３】図１に示すパチンコ機においてガラス枠１２を前方開放した状態の外観斜視図である。
【図４】前枠と遊技盤ユニットとを前後に分解した分解斜視図である。
【図５】後方ユニットの正面図である。
【図６】後方ユニットにおけるアース板金近傍の斜視図である。
【図７】後方ユニットにおける別のアース板金近傍の斜視図である。
【図８】後方ユニットにおける集合アース板金近傍の斜視図である。
【図９】役物部材を遊技盤から前方に分解した分解斜視図である。
【図１０】役物部材の外観斜視図であって、（ａ）は前方から矢視した図であり、（ｂ）は後方から矢視した図である。
【図１１】別の役物部材の外観斜視図であって、（ａ）は前方から矢視した図であり、（ｂ）は後方から矢視した図である。
【図１２】更に別の役物部材の外観斜視図であって、（ａ）は前方から矢視した図であり、（ｂ）は後方から矢視した図である。
【図１３】遊技盤に役物部材が取り付けられた状態を示す、斜め後方からの斜視図である。
【図１４】後方ユニットにおけるアース板金部分を示す、斜め前方からの斜視図である。
【実施するための形態】
【００１１】
以下、実施形態について図面を用いて説明する。図１は、実施形態に係る遊技機としてのパチンコ機２の正面図であり、図２は、図１に示すパチンコ機２の外観斜視図である。
【００１２】
パチンコ機２は、遊技機枠３、遊技盤ユニット５、ガラス枠１２、発射ユニット（不図示）、球皿１４を有している。遊技盤ユニット５の一部である遊技盤６の前面に形成された遊技領域１６に向けて、発射ユニットによって１球ずつ遊技球（遊技媒体）２３が発射可能とされている。
【００１３】
パチンコ機２は、後述する発射装置ハンドル１５を遊技者が操作することによって、遊技領域１６に向けて遊技球が発射され、遊技球の流下による遊技が実現される。なお、遊技機は、パチンコ機２の他にパチンコ式スロットマシン機（いわゆるパロット機）、コインゲーム機等のアーケードマシン、各種ゲーム機を概念することができ、要するに、遊技媒体の流下による遊技を実現する遊技領域を有するあらゆる遊技機が含まれる。また、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機を概念することができる。
【００１４】
本願においては、一般的な方向の定義として、パチンコ機を正面（遊技者側）から見た場合における方向で上下左右方向を定義する。また、遊技者からパチンコ機に向かう方向を後方、パチンコ機から遊技者に向かう方向を前方と定義する。部材やユニット等の詳細部分については、個別に別方向の名称を用いる場合もある。また、遊技球２３が遊技領域１６を流下する場合、原則として流下方向（下方）が下流側であり、逆方向（上方）が上流側となるが、下流、上流の概念は上下に限定されず、あくまで遊技球の流下する方向を下流側と定義する。
【００１５】
パチンコ機２の遊技機枠３は、後述する遊技盤ユニット５を保持するためのもので、このパチンコ機２の周囲側面及び前方又はそれに加えて後方を囲むように構成される。遊技機枠３の内側には、遊技盤ユニット５の他にも各種制御基板や遊技球２３用の通過経路等各種機構部品が配置され、遊技機枠３によって周囲側面及び前方又はそれに加えて後方からのパチンコ機２内部側への不正アクセスが防止されるようになっている。
【００１６】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。
【００１７】
ガラス１０は、遊技盤６に対して一定距離以上離間して配置された透明板である。ガラス１０は、２枚の透明平板ガラスが前後に配置されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。ガラス枠１２には、略中央に大きく中央開口が形成されており、その中央開口の周囲を囲むように装飾部材３２が配置されており、中央開口を塞ぐようにガラス１０が配置されている。
【００１８】
球皿１４は、遊技者の持ち球を貯留するためにパチンコ機２の前面に配置された皿部材であって、本実施形態においては上球皿１４ａと下球皿１４ｂとを有している。上球皿１４ａは遊技盤６の下方、すなわちガラス枠１２の下方部分に配置され、下球皿１４ｂは、その上球皿１４ａの更に下方に配置されている。
【００１９】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００２０】
図３は、図１に示すパチンコ機２においてガラス枠１２を前方開放した状態の外観斜視図である。ガラス枠１２を前方開放すると、前枠９に保持された遊技盤ユニット５の遊技領域１６が前方に露出する。このパチンコ機２においては、前枠９の後方から遊技盤ユニット５が取り付けられ、前枠９の略中央に大きく開口形成された中央開口９ａに遊技領域１６が臨むようになっている。なお、このパチンコ機２では、中央開口９ａの内側面の一部が外レール２６ａとして機能しており、発射ユニットによって発射された遊技球２３が外レール２６ａによって遊技領域１６の上部に向けて案内されるようになっている。
【００２１】
図４は、前枠９と遊技盤ユニット５とを前後に分解した分解斜視図である。図４においては、遊技盤ユニット５も、遊技盤６、スペーサ（基盤部材）１１、後方ユニット（役物ユニット）１３に分解して示している。
【００２２】
前枠９は、ガラス枠１２の後方に位置し、ヒンジ２２を介して外枠４に軸支され、ヒンジ２２を中心として前後に揺動開閉可能とされている。前枠９の後方に遊技盤ユニット５が保持されるようになっており、前枠９の中央開口９ａから遊技領域１６が前方に臨むようになっている。遊技盤ユニット５は、前方ユニット８、遊技盤６、スペーサ１１、後方ユニット１３を有して大略構成されている。前方ユニット８は、遊技盤６の前面（遊技盤面）６ａに取り付けられるユニットであり、例えば、遊技領域１６を囲むように配置されるレール飾り２６、遊技盤６に開口形成されたセンター開口６ｂの周囲を囲むセンター役物７、始動入賞口２９等を含む。
【００２３】
遊技盤６は、前面に遊技領域１６を形成する盤状部材であり、その略中央位置には、後方ユニット１３の一部や演出表示装置（不図示）を臨ませるためのセンター開口６ｂが形成されている。遊技盤前面６ａには、流下する遊技球２３の流下経路を変更させることにより遊技を演出するための、多数の遊技釘や風車等（いずれも不図示）も配置されている。遊技盤６は、アクリル等の樹脂で形成され、かつ、透光性を有しており、特に本実施形態においては透明である。
【００２４】
スペーサ１１は、遊技盤６の後方に取り付けられる平板状の樹脂部材である。本実施形態においては、スペーサ１１は黒色であって不透光とされており、その後方が遊技者から視認できないようになっている。スペーサ１１は、図４に示すように、周囲において連続し、かつ中央が開口したいわゆるドーナツ形状を呈しており、遊技盤６の周囲における後面を支持している。またスペーサ１１は、側面の少なくとも一部を覆うように位置している。
【００２５】
スペーサ１１は、前枠９に遊技盤６を取り付ける際の補助部材として機能する。前枠９に取付け可能な遊技盤の前後方向における厚さは、本実施形態に係る遊技盤６の厚さよりも厚い。そのため、遊技盤６にスペーサ１１を取り付けて遊技盤ユニット５全体としての取付け部分における厚さを増大させて、前枠９に取付け可能な厚さと一致させている。それにより、この遊技盤６をスペーサ１１と共に前枠９に適正に取り付けることができるようになっている。
【００２６】
後方ユニット１３は、スペーサ１１の後方に取り付けられた遊技演出用の役物ユニットである。本実施形態においては、後方ユニット１３は、スペーサ１１を介して間接的に遊技盤６に取り付けられている。もちろん、後方ユニット１３はスペーサ１１を介さず遊技盤６に直接的に取り付けられてもよい。
【００２７】
後方ユニット１３は、動作演出や光演出によって遊技者に対して演出を提供するためのもので、その一部がセンター開口６ｂから前方に露出するように配置されて遊技者に呈示される。また、後方ユニット１３の中央開口１３ａには、その後方に取り付けられる演出表示装置の表示面が位置するようになっている。この遊技盤６は透明であるので、センター開口６ｂ以外の部分においても遊技盤面６ａを透過してその後方にある後方ユニット１３が遊技者から視認できるようになっている。
【００２８】
図５は、後方ユニット１３の正面図である。後方ユニット１３の３箇所にアース板金（導電付勢部）１７〜１９が配置されている。アース板金１７〜１９は、各々図５中にＡ部、Ｂ部、Ｃ部として囲んで示している。図６は、後方ユニット１３におけるアース板金１７及びアース板金１８近傍の斜視図である。図７は、後方ユニット１３におけるアース板金１９近傍の斜視図である。
【００２９】
アース板金１７〜１９は、後述する役物部材３４〜３６を接地電位とするために、役物部材３４〜３６の導電突部３４ｂ〜３６ｂ（図１０〜１２参照）と接触するためのものである。アース板金１７〜１９は、後方ユニット１３の前面に露出した付勢部材であり、導電性材料で形成されている。本実施形態においては、アース板金１７〜１９は、前方に向けて付勢力を作用させる板バネ部材である。各アース板金１７〜１９の周囲には、枠部（位置規制部）１７ａ〜１９ａが配置されている。枠部１７ａ，１８ａは、各々アース板金１７，１８の四方を囲むように形成されている。枠部１９ａは、アース板金１９の下方及び右側方を囲むように形成されている。
【００３０】
枠部は、アース板金の近傍位置に配置され、導電突部の位置を規制するものであればよく、必ずしもアース板金の四方周囲を囲む枠状である必要はない。例えば、枠部１９ａのように、略Ｌ字状に２方向を囲むものや、上下に平行して配置され、二の字形状とされたものであってもよい。もちろんこれらに限定される必要はなく、１又は複数の円柱形状を呈する突出ピンがアース板金の周囲に立設され、位置規制部として機能してもよい。
【００３１】
アース板金１７〜１９は、図示しないアース配線によって集合アース板金２０に接続されている。図８は、後方ユニット１３における集合アース板金２０近傍の斜視図である。集合アース板金２０は、後方ユニット１３の前面における左下部近傍位置に配置された板バネ状の板金部材であって、導電性を有している。集合アース板金２０には、各アース板金１７〜１９からのアース配線を接続するための接続孔２０ａが形成されている。集合アース板金２０の一部は後方に向けて屈曲し、後方ユニット１３に形成された開口から後方に貫通して屈曲部２０ｂが後方ユニット１３の後方に露出している。
【００３２】
集合アース板金２０の屈曲部２０ｂは、後方ユニット１３が遊技盤６に取り付けられ、遊技盤６が前枠９に取り付けられた状態で、遊技機枠３全体を閉鎖すると、外枠４の一部に接触するようになっている。その外枠４における屈曲部２０ｂとの接触部分は、金属等の導電体であり、かつ、アース接地されている。したがって、遊技機枠３全体の閉鎖状態、すなわち通常の遊技使用状態において、アース板金１７〜１９は、アース配線、集合アース板金２０及び外枠４を介して接地電位とされている。
【００３３】
図９は、役物部材３４〜３６を遊技盤６から前方に分解した分解斜視図である。図９においては、後方ユニット１３の図示を省略している。また、前方ユニット８における一部の構成部品、例えば、センター役物７、レール飾り２６等の図示も省略している。
【００３４】
前方ユニット８は、センター役物７、レール飾り２６の他にも、役物部材３４〜３６を有している。役物部材３４は、例えば、普通入賞口２８を構成する部材である。役物部材３５は、例えば、始動入賞口２９及び大入賞口３１を構成する部材である。役物部材３６は、例えば、電チュー（電動チューリップ）２４及びゲート３３を構成する部材である。これら役物部材３４〜３６は、遊技盤６に開口形成された各取付開口３４ａ〜３６ａに前方から取り付けられる。このとき、役物部材３４〜３６の各導電突部３４ｂ〜３６ｂは、それぞれ取付開口３４ａ〜３６ａを前面６ａから後方へと貫通し、後方ユニット１３へと至るようになっている。なお、役物部材３４〜３６の各々は、必ずしも１つの部品のみから構成されるものに限られず、複数の部品による集合体をも含む概念である。
【００３５】
図１０は、役物部材３４の外観斜視図であって、（ａ）は前方から矢視した図であり、（ｂ）は後方から矢視した図である。役物部材３４は、３つの普通入賞口２８を有している。その後面３４ｃには、導電突部３４ｂが後方に向けて突出している。役物部材３４は、樹脂で形成された部材であるが、普通入賞口２８を含む前面３４ｄの少なくとも一部と導電突部３４ｂとには、連続して表面に金属メッキが処理されており導電性を有している。
【００３６】
役物部材３４が遊技盤６の前面６ａに取り付けられた状態で、導電突部３４ｂは遊技盤６の取付開口３４ａを貫通し、後方ユニット１３のアース板金１７を付勢する。したがって、普通入賞口２８を含む前面３４ｄの少なくとも一部と導電突部３４ｂとは、アース板金１７を介して接地電位となる。
【００３７】
遊技領域１６を流下する遊技球２３と遊技盤６やその他の各種部品等との摩擦や接触により遊技球２３や遊技盤６が帯電した場合であっても、遊技球２３が役物部材３４の金属メッキ部分に接触することにより、除電されるようになっている。また、役物部材３４の後面３４ｃにおける遊技盤６との接触部分にも導電突部３４ｂと連続する金属メッキが処理されていれば、遊技盤６に帯電した静電気も役物部材３４により効果的に除電することができる。
【００３８】
導電突部３４ｂの根元部分（すなわち、後面３４ｃに近い部分）には、導電突部３４ｂの先端部分よりも太く形成された補強部３４ｅが設けられている。補強部３４ｅは、導電突部３４ｂの根元に近づくに従って幅が広がるリブ状とされている。この補強部３４ｅを配置することにより、導電突部３４ｂの曲げに対する強度が強くなり、アース板金１７による付勢力による破損が防止されている。
【００３９】
導電突部３４ｂ及びアース板金１７は、役物部材３４の後面３４ｃの後方に配置されている。役物部材３４の前面３４ｄ及び後面３４ｃの少なくともいずれかには金属メッキが処理されるか、少なくとも不透明とされており、導電突部３４ｂ及びアース板金１７は役物部材３４を前方から矢視した場合に視認不可能な位置に配置されている。すなわち、遊技盤６を正面視した場合に、導電突部３４ｂやアース板金１７は不可視である。
【００４０】
遊技盤６に対してまず後方ユニット１３を取り付け、その後に役物部材３４を取り付ける際に、アース板金１７の周囲に配置された枠部１７ａが役物部材３４の位置決め機能を発揮する。すなわち、役物部材３４を遊技盤６の前方から取り付ける際に、導電突部３４ｂを枠部１７ａの内部に挿入するように取り付けると、導電突部３４ｂが枠部１７ａによって位置規制されて役物部材３４の位置決めが適正に完了する。導電突部３４ｂを枠部１７ａ内部に挿入するだけで、役物部材３４の位置決めに加え、作業者が意識することなく役物部材３４の接地も完了することができる。したがって、遊技盤ユニット５の組立作業効率が向上し、かつ、部品の取付精度向上と確実なアース接地とを両立させることができる。
【００４１】
図１１は、役物部材３５の外観斜視図であって、（ａ）は前方から矢視した図であり、（ｂ）は後方から矢視した図である。役物部材３５は、始動入賞口２９と大入賞口３１とを有している。その後面３５ｃには、導電突部３５ｂが後方に向けて突出している。役物部材３５は、樹脂で形成された部材であるが、始動入賞口２９や大入賞口３１の周囲を含む前面３５ｄの少なくとも一部と導電突部３５ｂとには、連続して表面に金属メッキが処理されており導電性を有している。
【００４２】
役物部材３５が遊技盤６の前面６ａに取り付けられた状態で、導電突部３５ｂは遊技盤６の取付開口３５ａを貫通し、後方ユニット１３のアース板金１８を付勢する。したがって、始動入賞口２９や大入賞口３１の周囲を含む前面３５ｄの少なくとも一部と導電突部３５ｂとは、アース板金１８を介して接地電位となる。
【００４３】
遊技領域１６を流下する遊技球２３と遊技盤６やその他の各種部品等との摩擦や接触により遊技球２３や遊技盤６が帯電した場合であっても、遊技球２３が役物部材３５の金属メッキ部分に接触することにより、除電されるようになっている。また、役物部材３５の後面３５ｃにおける遊技盤６との接触部分にも導電突部３５ｂと連続する金属メッキが処理されていれば、遊技盤６に帯電した静電気も役物部材３５により効果的に除電することができる。
【００４４】
導電突部３５ｂの近傍には役物部材３５を構成する複数の部品を締結する取付ネジを挿入するための取付ボス３５ｅが後方に向けて突出している。そして、この取付ボス３５ｅと導電突部３５ｂとが、リブ３５ｆによって連結されて補強されている。リブ３５ｆを配置することにより、導電突部３５ｂの曲げに対する強度が強くなり、アース板金１８による付勢力による破損が防止されている。
【００４５】
導電突部３５ｂ及びアース板金１８は、役物部材３５の後面３５ｃの後方に配置されている。役物部材３５の前面３５ｄ及び後面３５ｃの少なくともいずれかには金属メッキが処理されるか、少なくとも不透明とされており、導電突部３５ｂ及びアース板金１８は役物部材３５を前方から矢視した場合に視認不可能な位置に配置されている。すなわち、遊技盤６を正面視した場合に、導電突部３５ｂやアース板金１８は不可視である。
【００４６】
遊技盤６に対してまず後方ユニット１３を取り付け、その後に役物部材３５を取り付ける際に、アース板金１８の周囲に配置された枠部１８ａが役物部材３５の位置決め機能を発揮する。すなわち、役物部材３５を遊技盤６の前方から取り付ける際に、導電突部３５ｂを枠部１８ａの内部に挿入するように取り付けると、導電突部３５ｂが枠部１８ａによって位置規制されて役物部材３５の位置決めが適正に完了する。導電突部３５ｂを枠部１８ａ内部に挿入するだけで、役物部材３５の位置決めに加え、作業者が意識することなく役物部材３５の接地も完了することができる。したがって、遊技盤ユニット５の組立作業効率が向上し、かつ、部品の取付精度向上と確実なアース接地とを両立させることができる。
【００４７】
図１２は、役物部材３６の外観斜視図であって、（ａ）は前方から矢視した図であり、（ｂ）は後方から矢視した図である。役物部材３６は、電チュー２４及びゲート３３を有している。その後面３６ｃには、導電突部３６ｂが後方に向けて突出している。役物部材３６は、樹脂で形成された部材であるが、電チュー２４及びゲート３３の周囲を含む前面３６ｄの少なくとも一部と導電突部３６ｂとには、連続して表面に金属メッキが処理されており導電性を有している。
【００４８】
役物部材３６が遊技盤６の前面６ａに取り付けられた状態で、導電突部３６ｂは遊技盤６の取付開口３６ａを貫通し、後方ユニット１３のアース板金１９を付勢する。したがって、電チュー２４及びゲート３３の周囲を含む前面３６ｄの少なくとも一部と導電突部３６ｂとは、アース板金１９を介して接地電位となる。
【００４９】
遊技領域１６を流下する遊技球２３と遊技盤６やその他の各種部品等との摩擦や接触により遊技球２３や遊技盤６が帯電した場合であっても、遊技球２３が役物部材３６の金属メッキ部分に接触することにより、除電されるようになっている。また、役物部材３６の後面３６ｃにおける遊技盤６との接触部分にも導電突部３６ｂと連続する金属メッキが処理されていれば、遊技盤６に帯電した静電気も役物部材３６により効果的に除電することができる。
【００５０】
導電突部３６ｂの根元部分（すなわち、後面３６ｃに近い部分）には、導電突部３６ｂの先端部分よりも太く形成された補強部３６ｅが設けられている。補強部３６ｅは、導電突部３６ｂの根元に近づくに従って幅が広がるリブ状とされている。この補強部３６ｅを配置することにより、導電突部３６ｂの曲げに対する強度が強くなり、アース板金１９による付勢力による破損が防止されている。
【００５１】
導電突部３６ｂ及びアース板金１９は、役物部材３６の後面３６ｃの後方に配置されている。役物部材３６の前面３６ｄ及び後面３６ｃの少なくともいずれかには金属メッキが処理されるか、少なくとも不透明とされており、導電突部３６ｂ及びアース板金１９は役物部材３６を前方から矢視した場合に視認不可能な位置に配置されている。すなわち、遊技盤６を正面視した場合に、導電突部３６ｂやアース板金１９は不可視である。
【００５２】
遊技盤６に対してまず後方ユニット１３を取り付け、その後に役物部材３６を取り付ける際に、アース板金１９の周囲に配置された枠部１９ａが役物部材３６の位置決め機能を発揮する。すなわち、役物部材３６を遊技盤６の前方から取り付ける際に、導電突部３６ｂを枠部１９ａの内部に挿入するように取り付けると、導電突部３６ｂが枠部１９ａによって位置規制されて役物部材３６の位置決めが適正に完了する。導電突部３６ｂを枠部１９ａ内部に挿入するだけで、役物部材３６の位置決めに加え、作業者が意識することなく役物部材３６の接地も完了することができる。したがって、遊技盤ユニット５の組立作業効率が向上し、かつ、部品の取付精度向上と確実なアース接地とを両立させることができる。
【００５３】
なお、上記説明においては、遊技盤６に対してまず後方ユニット１３を取り付け、その後に役物部材３４〜３６を取り付ける取付方法について説明したが、遊技盤６に対する取付順序に限定はない。例えば、遊技盤６に対して、まず役物部材３４〜３６を取り付け、その後に遊技盤６の後方に後方ユニット１３を取り付けてもよい。
【００５４】
図１３に示すように、遊技盤６に対してまずその前面６ａから役物部材３４を取り付けると、取付開口３４ａから遊技盤６の後方に役物部材３４の導電突部３４ｂが突出する。前面６ａから役物部材３５を取り付けると、取付開口３５ａから遊技盤６の後方に役物部材３５の導電突部３５ｂが突出する。前面６ａから役物部材３６を取り付けると、取付開口３６ａから遊技盤６の後方に役物部材３６の導電突部３６ｂが突出する。
【００５５】
その後、遊技盤６の後方に、例えば、スペーサ１１を介して間接的に後方ユニット１３を取り付ける。後方ユニット１３の取付けの際に、導電突部３４ｂ〜３６ｂが各々枠部１７ａ〜１９ａによって位置決めされるように後方ユニット１３を位置決めする。そのとき、後方ユニット１３の役物部材取付開口４４に役物部材３４の一部が嵌り込み、役物部材取付開口４５に役物部材３５の一部が嵌り込み、役物部材取付開口４６に役物部材３６の一部が嵌り込む。これによっても、後方ユニット１３の遊技盤６に対する位置決めが為される。
【００５６】
そして、導電突部３４ｂ〜３６ｂが各々枠部１７ａ〜１９ａによって位置決めされると同時に、導電突部３４ｂ〜３６ｂがアース板金１７〜１９に接触し、役物部材３４〜３６の接地が完了する。
【符号の説明】
【００５７】
２：パチンコ機（遊技機）
３：遊技機枠
４：外枠
５：遊技盤ユニット
６：遊技盤
６ａ：前面（遊技盤面）
６ｂ：センター開口
７：センター役物（前方ユニットの一部）
８：前方ユニット
９：前枠
９ａ：中央開口
１０：ガラス
１１：スペーサ（基盤部材）
１２：ガラス枠
１３：後方ユニット（役物ユニット）
１３ａ：中央開口
１４：球皿
１４ａ：上球皿
１４ｂ：下球皿
１５：発射装置ハンドル
１６：遊技領域
１７〜１９：アース板金（導電性付勢部）
１７ａ〜１９ａ：枠部（位置規制部）
２０：集合アース板金
２０ａ：接続孔
２０ｂ：屈曲部
２２：ヒンジ
２３：遊技球
２４：電チュー（電動チューリップ）
２６：レール飾り（前方ユニットの一部）
２６ａ：外レール
２８：普通入賞口
２９：始動入賞口（前方ユニットの一部）
３１：大入賞口
３２：装飾部材
３３：ゲート
３４〜３６：役物部材
３４ａ〜３６ａ：取付開口
３４ｂ〜３６ｂ：導電突部
３４ｃ〜３６ｃ：後面
３４ｄ〜３６ｄ：前面
３４ｅ，３６ｅ：補強部
３５ｅ：取付ボス
３５ｆ：リブ
４４〜４６：役物部材取付開口
【図１】
0005924812.tif 000002
【図２】
0005924812.tif 000003
【図３】
0005924812.tif 000004
【図４】
0005924812.tif 000005
【図５】
0005924812.tif 000006
【図６】
0005924812.tif 000007
【図７】
0005924812.tif 000008
【図８】
0005924812.tif 000009
【図９】
0005924812.tif 000010
【図１０】
0005924812.tif 000011
【図１１】
0005924812.tif 000012
【図１２】
0005924812.tif 000013
【図１３】
0005924812.tif 000014
【図１４】
0005924812.tif 000015